【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
変調信号を出力する変調回路であって、
前記変調信号の所定の波高値の部分の時間幅を決定する波形形状データを予め記憶する記憶回路と、
前記波形形状データと、入力される階調データとに基づいて、前記変調信号を生成する回路と、
を有し、
前記変調信号を生成する回路は、前記変調信号の前記所定の波高値の部分の時間幅を前記波形形状データにより決定し、前記変調信号の最大波高値の部分の時間幅を前記階調データにより決定する変調回路。
【請求項２】
前記波形形状データが、他の波高値から前記所定の波高値に遷移させる制御を開始するタイミングを規定するためのデータと、前記所定の波高値から他の波高値に遷移させる制御を開始するタイミングを規定するためのデータとを少なくとも含んでいる
請求項１記載の変調回路。
【請求項３】
前記波形形状データが、前記階調データによって規定されるタイミングであって、前記最大波高値から前記所定の波高値に遷移させる制御を開始するタイミング、からの前記部分の時間幅を規定するデータを含んでいる
請求項１または２記載の変調回路。
【請求項４】
前記波形形状データは、値の異なる複数の階調データにそれぞれ対応する複数の変調信号であって、それぞれが前記所定の波高値に制御される部分を有する複数の変調信号の、該部分の時間幅を決定するために参照される請求項１に記載の変調回路。
【請求項５】
前記階調データが、前記変調信号のいずれかの部分の波高値を立ち下げる制御を開始するタイミングを規定するデータを含んでいる
ことを特徴とする請求項１乃至３のいずれか１項記載の変調回路。
【請求項６】
前記変調信号の波形が、階段形状に制御される部分を有し、
前記波形形状データが、前記階段形状に制御される部分の形状を決定する情報を含んで
いる
請求項１乃至５のいずれか１項記載の変調回路。
【請求項７】
駆動回路であって、
請求項１乃至６のいずれかに記載の変調回路と、
入力信号を前記階調データに変換するデータ出力回路と、
を有しており、
前記変調回路と前記データ出力回路とが、互いに異なる基板上に設けられている
駆動回路。
【請求項８】
変調信号の生成方法であって、
前記変調信号の所定の波高値の部分の時間幅を決定する波形形状データを予め記憶する記憶回路を有する変調回路に、階調データが入力されるステップと、
前記変調回路において、前記波形形状データと、前記入力される階調データとに基づいて、前記変調信号を生成するステップと、
を有しており、
前記変調信号を生成するステップでは、前記変調信号の前記所定の波高値の部分の時間幅を前記波形形状データにより決定し、前記変調信号の最大波高値の部分の時間幅を前記階調データにより決定する変調信号の生成方法。
【請求項９】
変調信号を出力する変調回路であって、
所定の値を有する階調データである第１の階調データに対応する変調信号であって、
該変調信号の波形のうちの最大の波高値に制御される部分の波高値が、この変調回路が変調信号の波高値として出力し得る波高値のうちの最低の波高値である波高値Ｖｋに制御される第１の変調信号と、
前記所定の値よりも１大きい値を有する階調データである第２の階調データに対応する変調信号であって、
波高値がＶｋに制御される第１の部分と、波高値がＶｋ＋１（ここでＶｋ＜Ｖｋ＋１）に制御される第２の部分とを有しており、該第２の部分はこの変調信号の波形の先端以外かつ後端以外に位置しており、前記第１の部分の時間幅は前記第１の変調信号において波高値がＶｋに制御される前記部分の時間幅以上である第２の変調信号と、
を出力する変調回路。
【請求項１０】
前記第２の階調データの値を１ずつ増やした値を有する複数の階調データのそれぞれに対応する変調信号の波形が、前記第２の変調信号の波形の前記波高値Ｖｋ＋１に制御される部分の時間幅を、時間幅制御の単位時間ずつ順次増やした形状を有する請求項９に記載の変調回路。
【請求項１１】
変調信号を出力する出力方法であって、
所定の値を有する階調データである第１の階調データに対応する変調信号であって、
該変調信号の波形のうちの最大の波高値に制御される部分の波高値が、この変調回路が変調信号の波高値として出力し得る波高値のうちの最低の波高値である波高値Ｖｋに制御される第１の変調信号を出力するステップと、
前記所定の値よりも１大きい値を有する階調データである第２の階調データに対応する変調信号であって、
波高値がＶｋに制御される第１の部分と、波高値がＶｋ＋１（ここでＶｋ＜Ｖｋ＋１）に制御される第２の部分とを有しており、該第２の部分はこの変調信号の波形の先端以外かつ後端以外に位置しており、前記第１の部分の時間幅は前記第１の変調信号において波高値がＶｋに制御される前記部分の時間幅以上である第２の変調信号を出力するステップと、
を有する出力方法。
【請求項１２】
請求項１乃至６、９、１０のうちのいずれか１項記載の変調回路と、
複数の走査配線と、
前記変調回路から変調信号が供給される複数の変調配線と、
前記複数の走査配線および前記複数の変調配線によってマトリックス接続される複数の表示素子とを有する
画像表示装置。
【請求項１３】
請求項１２記載の画像表示装置と、
テレビジョン放送信号を選択可能なチューナとを有し、
前記チューナから出力される信号に基づいて画像表示が実行される
テレビジョン装置。
【手続補正２】
【補正対象書類名】明細書
【補正対象項目名】０００６
【補正方法】変更
【補正の内容】
【０００６】
本願に係わる発明の第一の態様は以下のように構成される。即ち、変調信号を出力する変調回路であって、前記変調信号の所定の波高値の部分の時間幅を決定する波形形状データを予め記憶する記憶回路と、前記波形形状データと、入力される階調データとに基づいて、前記変調信号を生成する回路と、を有し、前記変調信号を生成する回路は、前記変調信号の前記所定の波高値の部分の時間幅を前記波形形状データにより決定し、前記変調信号の最大波高値の部分の時間幅を前記階調データにより決定する変調回路、である。
【手続補正３】
【補正対象書類名】明細書
【補正対象項目名】０００８
【補正方法】変更
【補正の内容】
【０００８】
また、前記波形形状データが、前記階調データによって規定されるタイミングであって、前記最大波高値から前記所定の波高値に遷移させる制御を開始するタイミング、からの前記部分の時間幅を規定するデータを含んでいる構成を好適に採用できる。
【手続補正４】
【補正対象書類名】明細書
【補正対象項目名】０００９
【補正方法】変更
【補正の内容】
【０００９】
また、前記波形形状データは、値の異なる複数の階調データにそれぞれ対応する複数の変調信号であって、それぞれが前記所定の波高値に制御される部分を有する複数の変調信号の、該部分の時間幅を決定するために参照される構成を好適に採用できる。
【手続補正５】
【補正対象書類名】明細書
【補正対象項目名】００１６
【補正方法】変更
【補正の内容】
【００１６】
また本願は、変調信号の生成方法の発明の態様として以下の構成を開示する。即ち、変
調信号の生成方法であって、前記変調信号の所定の波高値の部分の時間幅を決定する波形形状データを予め記憶する記憶回路を有する変調回路に、階調データが入力されるステップと、前記変調回路において、前記波形形状データと、前記入力される階調データとに基づいて、前記変調信号を生成するステップと、を有しており、前記変調信号を生成するステップでは、前記変調信号の前記所定の波高値の部分の時間幅を前記波形形状データにより決定し、前記変調信号の最大波高値の部分の時間幅を前記階調データにより決定する変調信号の生成方法である。
【手続補正６】
【補正対象書類名】明細書
【補正対象項目名】００１７
【補正方法】削除
【補正の内容】